(57)【要約】【課題】優れた意匠性と、しわ、歪み、浮き、弛み、膨らみのない見栄えの良さと、を両立させた袋状経編地及びその製造方法を提供する。【解決手段】編成幅方向に２種類の異なる製品用の経編地１０ａ、１０ｂを並べて、同時に経編地１０を編成縦方向に編成していく。ここで、表面編地２ａａ、２ｂａの地組織は、開口部を有するネット状編地である。これに対して、表面編地２ａａ、２ｂａをそれぞれ一部破断して示す裏面編地２ａｂ、２ｂｂの地組織は、開口部を有しないフラット状編地である。経編地１０の表裏編地部の裏面編地２ａｂ、２ｂｂは、少なくとも１針間アンダーラップする筬で編成し、平坦平滑なフラット状編地とする。一方、表面編地２ａａ、２ｂａにおいては、１針間及び２針間で編成されたネット状のネット状編地と、１針又は２針間でアンダーラップされたフラット状編地（模様３ａ、３ｂ）とを組み合わせて編地表面に意匠表現を付与する。【選択図】図２
2014037640.tif 000002
【特許請求の範囲】
【請求項１】
一方の面の編地と他方の面の編地とを有する一体編成された袋状経編地であって、
前記他方の面の編地は開口部を有するネット状編地と開口部を有しないフラット状編地からなり、
前記フラット状編地が前記ネット状編地の中に模様を形成し、
前記他方の面の前記フラット状編地と前記ネット状編地の面積割合は、前記フラット状編地が３０％〜７０％、前記ネット状編地が３０％〜７０％であり、
前記ネット状編地の前記開口部の編地の８０％〜１００％は２ウエル〜１０ウエルの編糸を束ねて編成される袋状経編地。
【請求項２】
前記ネット状編地の前記開口部の編地の１００％が２ウエル〜８ウエルの編糸を束ねて編成される請求項１に記載の袋状経編地。
【請求項３】
前記ネット状編地の前記開口部の編地のうち、前記模様の周囲は１ウエルの編糸を束ねて編成される請求項１に記載の袋状経編地。
【請求項４】
前記一方の面の編地は開口部を有しないフラット状編地からなる請求項１乃至３のいずれか１項に記載の袋状経編地。
【請求項５】
前記一方の面の編地は開口部を有しないフラット状編地と開口部を有するネット状編地からなり、前記ネット状編地が前記一方の面の編地に占める面積の割合は２０％未満である請求項１乃至３のいずれか１項に記載の袋状経編地。
【請求項６】
一方の面の編地と他方の面の編地とを有する一体編成された袋状経編地の製造方法であって、
前記他方の面の編地は開口部を有するネット状編地と開口部を有しないフラット状編地からなり、
前記フラット状編地が前記ネット状編地の中に模様を形成し、
前記他方の面の前記フラット状編地と前記ネット状編地の面積割合は、前記フラット状編地が３０％〜７０％、前記ネット状編地が３０％〜７０％であり、
前記ネット状編地の前記開口部の編地の８０％〜１００％は２ウエル〜１０ウエルの編糸を束ねて編成される袋状経編地の製造方法。
【発明の詳細な説明】
【技術分野】
【０００１】
本発明は、袋状経編地及びその製造方法に関する。特に、袋状の一方の面の編地組織は基本的にフラット状編地として、他方の面の編地組織はネット状編地を有する意匠を付与した袋状経編地及びその製造方法に関する。
【背景技術】
【０００２】
二列針床を有し、二列のジャカードのガイドバーを有する経編機を用いて、筒編を形成しパンツ、シャツ、パンティーストッキングなどを製造することは知られている。
特許文献１には、表裏の地組織を編成し、ある寸法の両耳（端）部をコース方向に連結糸で連結しながら仕上がりサイズに筒編、袋状に編成し、切除編地カットラインと呼ばれる地組織を切断し、縫製作業の手間を省く技術が開示されている。
【０００３】
従来技術においては、筒編地の表裏両面に花柄や小紋、波状など開口部のある組織を組み合わせることで意匠性のある編地として編成している。
現状での編機の特性では表裏地組織のループ数が同じであり、編地に必要な糸長の表裏のバランスを、開口部を有する組織（ネット状編地）を用いて、花柄や小紋、波柄などの柄（模様）で、表裏の編地の伸縮をコントロールし、表裏の均一性ある編地として編成している。
この場合には、表裏編地組織に開口部を有する組織を付与することにより、編地に経緯の伸縮が生じるが、表裏にネット状編地を有する衣料製品においては、しわ、歪み等があっても編地の不具合とは見えず意匠性ある商品となる。
【先行技術文献】
【特許文献】
【０００４】
【特許文献１】国際公開第２００６／１０６９７５号
【発明の概要】
【発明が解決しようとする課題】
【０００５】
しかしながら、袋状のシートカバー、マットレスカバー、シーツ等の生活用カバー製品においては、一方の面の編地組織が、開口部を有しないフラット状編地であり、他方の面の編地組織は開口部を有する編地と組み合わせて模様を付与した、ジャカードを１針または２針間にアンダーラップをして編地組織面に意匠を付与する編地が要求される。また、衣料製品においても、一方の面の編地組織はフラット状編地として、他方の面の編地組織はネット状編地を有する意匠を付与した製品が要求される。
このような場合には、表裏の編地組織の違いがある袋状編地となる。すなわち、一方の面のフラット状編地は伸縮も経緯とも均一な編地組織で編成されているが、他方の面の編地においては、意匠を付与するため、開口部を有する経方向にある間隔に地組織と同じ編糸を動かせた後、１針または２針間にアンダーラップする編地を多用することやジャカードで意匠を付与する編地に１針または２針間にアンダーラップされた編地で編成するため、表裏で編地の構成が異なるものとなる。
この結果、意匠を付与した他方の面の編地においては、しわ、歪み等が起こりやすく、そのまま従来の手法で表裏一体成形で編地の構成が異なる袋状経編地を製造すると、見栄えが悪い製品となり、仕上げ工程を経てもしわ、歪み等を抑えた仕上げは困難で、見栄えの良いきれいな製品を得ることは難しいという問題点があった。
【０００６】
本発明は、かかる問題点に鑑みてなされたものであって、一方の面と他方の面の地組織がパターンの外線に沿って連結された袋状経編地であり、他方の面の編地は透けて見えるネット状編地とその中に模様を形成するフラット状編地によって優れた意匠性が得られるともに、しわ、歪み等が少なく見栄えの良い袋状経編地及びその製造方法を提供することを目的とする。
【課題を解決するための手段】
【０００７】
上記目的を達成するために、本発明に係る袋状経編地は、
一方の面の編地と他方の面の編地とを有する一体編成された袋状経編地であって、
前記他方の面の編地は開口部を有するネット状編地と開口部を有しないフラット状編地からなり、
前記フラット状編地が前記ネット状編地の中に模様を形成し、
前記他方の面の前記フラット状編地と前記ネット状編地の面積割合は、前記フラット状編地が３０％〜７０％、前記ネット状編地が３０％〜７０％であり、
前記ネット状編地の前記開口部の編地の８０％〜１００％は２ウエル〜１０ウエルの編糸を束ねて編成される。
【０００８】
前記ネット状編地の前記開口部の編地の１００％が２ウエル〜８ウエルの編糸を束ねて編成されることが好ましい。
【０００９】
前記ネット状編地の前記開口部の編地のうち、前記模様の周囲は１ウエルの編糸を束ねて編成されることが好ましい。
【００１０】
前記一方の面の編地は開口部を有しないフラット状編地からなることが好ましい。
【００１１】
前記一方の面の編地は開口部を有しないフラット状編地と開口部を有するネット状編地からなり、前記ネット状編地が前記一方の面の編地に占める面積の割合は２０％未満であることが好ましい。
【００１２】
また、上記目的を達成するために、本発明に係る袋状経編地の製造方法は、
一方の面の編地と他方の面の編地とを有する一体編成された袋状経編地の製造方法であって、
前記他方の面の編地は開口部を有するネット状編地と開口部を有しないフラット状編地からなり、
前記フラット状編地が前記ネット状編地の中に模様を形成し、
前記他方の面の前記フラット状編地と前記ネット状編地の面積割合は、前記フラット状編地が３０％〜７０％、前記ネット状編地が３０％〜７０％であり、
前記ネット状編地の前記開口部の編地の８０％〜１００％は２ウエル〜１０ウエルの編糸を束ねて編成される。
【発明の効果】
【００１３】
本発明の袋状経編地は、他方の面の編地が開口部を有するネット状編地と開口部を有しないフラット状編地からなり、フラット状編地が他方の面の編地に占める割合は３０％〜７０％で、ネット状編地が他方の面の編地に占める割合は３０％〜６０％であることから、透けて見えるネット状編地とその中に模様を形成するフラット状編地によって、優れた意匠性が得られる。また、フラット状編地の部分で編糸を長く多量に消費するため、編糸を少ししか消費しないネット状編地の部分で余る編糸長さを吸収（調整）することができ、編地のしわ、歪み等を防止することができる。さらに、ネット状編地の開口部の編地の８０％〜１００％は２ウエル〜１０ウエルの編糸を束ねて編成されることから、ネット状編地の開口部が引き締められて、編地のしわ、歪みの防止効果はより増強されて、優れた意匠性が得られるとともに見栄えの良い袋状経編地となる。
【図面の簡単な説明】
【００１４】
【図１】本発明の実施形態に係る袋状経編地を編成するためのダブルラッセル編機の概略構造を示す模式図である。
【図２】本発明の実施形態に係る袋状経編地の編成状態を示す編成図である。
【図３】本発明の実施形態に係る袋状経編地のパターンの外線の外側編地を切除した製品を示す平面図である。
【図４】本発明の他の実施形態に係る袋状経編地のパターンの外線の外側編地を切除した製品を示す平面図である。
【図５】本発明の他の実施形態に係る袋状経編地のパターンの外線の外側編地を切除した製品の裏面を示す平面図である。
【図６】本発明の実施形態に係る袋状経編地のネット組織（１ウエルネット）を示す拡大模式図である。
【図７】本発明の実施形態に係る袋状経編地のネット組織（２ウエルネット）を示す拡大模式図である。
【図８】本発明の実施形態に係る袋状経編地のネット組織（３ウエルネット）を示す拡大模式図である。
【図９】本発明の実施形態に係る袋状経編地の組織部の基本的な編成組織を示す編成組織図である。
【図１０】本発明の実施形態に係る袋状経編地の表裏身頃の編成組織を示す編成組織図である。
【図１１】本発明の実施形態に係る袋状経編地の表裏身頃の連結組織を示す編成組織図である。
【発明を実施するための形態】
【００１５】
袋状経編地に意匠を付与する場合には、編地に開口部を有するネット状編地１〜２針のアンダーラップ組織のベース上に、１針間及び２針間でアンダーラップしたフラット状編地で花柄や小紋柄、波柄や葉柄などの模様を付与することは一般的に行われている。２針間にアンダーラップされた開口部を有するネット状編地の比率は、編地全体の３０％〜７０％で構成し、２針間にアンダーラップしたフラット状編地の比率は３０％〜７０％で構成し、１針間の開口部を有するネット状編地と１針間のフラット状編地の比率は２０％未満で構成することが好ましい。
【００１６】
意匠面の２針間での開口部の比率が７０％を超えると編地表面の繋がりが弱くなり、地組織に対し、意匠編地は不安定で動き易く、この動きによりしわ、歪み等を生じ易くなる。また、意匠面の２針間での開口部の比率が３０％未満であると編地表面は動きにくくなるが、経緯の伸びのバランスが取りにくくなり、開口部が見えにくく意匠性が低下する。
模様を構成する２針間にアンダーラップするフラット状組織の比率が３０％未満であると、編地表面全体の緩みが多く、編地のしわ、歪みの起こる虞があり、７０％を超えると、糸長が多く、開口部で緩んだ糸長を取り込む働きがあり、編地の緩みは少なく、編地はしっかりするが、見栄えの凹凸は小さく、模様が見えにくくなる。
【００１７】
意匠付与で１針間の開口部と１針間のフラット状編地の比率は２０％未満の範囲で編成されることで、編地全体の緩みを軽減することができる。２０％以上となると、編地全体が緩みを生じやすく、編地表面にしわ、歪み等が起こる虞がある。
【００１８】
１針間の開口部と１針間のフラット状編地の比率は１０％〜２０％の範囲で、２針間のフラット編地付近に配置されることが好ましく、１針間の編地と２針間の編地を適宜に意匠で使用すると、編地全体の伸びや緩みの程度を調整することができ、模様が編地表面に浮き出るような凹凸感のある見栄えの良い意匠が可能となる。
【００１９】
フラット状編地の地組織の編成において、鎖編の場合は上記範囲で適宜に配置をすればよく、地組織がデンビ編またはダブルデンビ編の場合、上記意匠の編糸の配置や比率で編成されることが好ましい。地組織が、デンビ編またはダブルデンビ編の場合、編糸の緩みを他の地組織の糸で吸収する働きがあるため、鎖編地よりも模様の比率外の範囲でも編地の緩みなどが少なくなる。
【００２０】
開口部を有する編糸の経方向のアンダーラップ数の間隔は１〜８コースの間でアンダーラップさせ、ウエル方向にアンダーラップを繰り返すことで模様の付与をすることが好ましい。１コース未満の場合は開口部がなく、意匠の付与とはならず、８コースを超えると開口部を編成する編糸が緩みやすくなり、編地全体の緩み、しわ、歪みの原因になりやすい。
仮に裏面地組織がフラット状編地の場合、もう一方の編地に意匠付与する開口部を有する編地は、１〜４コースの経方向に編糸をアンダーラップとオーバーラップを繰り返した後に、ウエル方向に編糸を適宜な意匠に合わせてアンダーラップさせることが好ましい。
【００２１】
表裏のループ数は同じであるため、いかに意匠付与時の構成で編地の糸長を調整出来るかが、しわ、歪み等を少なくする要因となる。
【００２２】
裏面のフラットな地組織はフラット状編地に占める、１または２針間の開口部を有するネット状編地の比率は２０％未満とする。２０％未満であれば、表編地への意匠を付与した編地は、裏面の編地の影響を受けにくく、歪みは小さく、模様の形状は安定し保たれる。２０％以上となると、編地全体が緩み、仕上がり時の形状が不安定となり、見栄えが悪くなる虞がある。また、使用の際にも、編地の繋がりが弱くなるため強度不足で、解れや破れの虞がある袋状経編地となる。
【００２３】
本実施形態に使用される糸は、３３ｄｔｅｘ〜５５０ｄｔｅｘの範囲で適宜に選択をすれば良い。３３ｄｔｅｘ未満の場合、商品(製品)用途によって、強度、引き裂き、磨耗に対し、性能面で不足する懸念がある。また、５５０ｄｔｅｘを超えると、編地の強度、磨耗などの性能は良くなる傾向ではあるが、製品自体が厚くなり、重たくなったり、柔軟性が損なわれ、扱いにくくなる、また風合い等に懸念がある。
【００２４】
本実施形態の編機は１６ゲージ〜３０ゲージの範囲で、用途に応じて適宜に選択をすれば良い。
【００２５】
本実施形態の編地の性量は仕上がり１８コースから８０コースの範囲で、仕上がりウエルは１６ウエル〜６０ウエルの範囲で、用途に応じて使用する糸で適宜に選択をすれば良い。仕上がりコースが１８コース未満であると、ループが経長に伸び易く、編地がルーズとなり、製品の見栄えや仕上がり性量が不均一になり易いばかりか、引き裂きなどの強度が低く、実用しにくい傾向にある。８０コースを超えると、編地が重く、硬くなるため、肌側に使用する場合は、風合いが硬く、違和感を感ずるだけでなく、使用上において取り扱いにくい。
【００２６】
本実施形態に使用される編糸は、特に限定することはなく、ナイロン、ポリエステル、レーヨン紡績糸、綿糸、天然糸、機能糸、など使用用途に応じて適宜に選択をすれば良い。
【００２７】
ネットを構成するウエル（編糸本数）は２ウエル（編糸２本）〜１０ウエル（編糸１０本）で構成されることが好ましい。表面に占めるネット状編地の編成において、１ウエル（１本の編糸）で構成すると必要な糸長が少なくて済むが、ネット状編地のしわ、歪み、編地の浮きが多くなるため、見栄えが悪くなる虞がある。これは、給糸される糸長が全て同じであるため、糸長を必要としない編地は、編地が緩くなり、編地表面でしわ、歪み等となる。
【００２８】
２ウエル（編糸２本）以上であると、編糸２本をジャカード糸で２針間にアンダーラップすると、糸長が多くなり、締め感を強くすることで、編地の緩み、しわ、歪みに対して良好となる。ネットのウエル（編糸の本数）は意匠や機能の範囲で選択をすれば良く２ウエル〜１０ウエルの間で適宜に選択すれば良い。
【００２９】
裏面地組織は鎖編と２針間にアンダーラップされると、編地の伸縮は小さく、形状安定性に優れ、表面の意匠部への影響は小さくなる。
【００３０】
表面意匠の地組織において、ネット状編地部は、緯方向にある一定の間隔で、意匠を作製し、その後に緯一線に２針間にアンダーラップのフラット状編地部を編成することで、ネット状編地部で余った糸長を吸収（調整）することができ、しわ、歪み、浮きを解消できる。また、フラット状編地部は緯方向に一線に２〜１０ｃｍぐらいで意匠的に邪魔にならない程度の幅で編成されることが好ましい。フラット状編地部は、緯方向や対角線状などに編成することにより、しわ、歪み、浮きを抑える効果が期待できる。袋状の大きい製品の場合は、所定の間隔で表裏を接結することにより、小さな袋状ができ、編地のしわを解消することができる。さらに、小さな袋状でキルト状の袋状の製品とすることも可能であり、表裏接結することで糸長が多く消費されて、しわ、歪みについて良好な袋状編地となる。
【００３１】
なお、ジャカードの糸を伸縮性の良い加工糸で意匠性を考慮すれば、編成は容易である。なかでも、ポリウレタン糸のカバーリング糸を使用することが好ましい。
【００３２】
本発明の実施形態に係る袋状経編地について、図面を参照しつつ、さらに詳細に説明する。
【００３３】
図１に示すように、本実施形態に係る袋状経編地を含む経編地１０を編成するためのダブルラッセル編機ＤＲは、編機幅方向にそれぞれ並列してなる多数の前後のニードルＮ１、Ｎ２を有する。ダブルラッセル編機ＤＲは、また前後の針釜（トリックプレート）Ｔ１、Ｔ２を有する。また、ダブルラッセル編機ＤＲは、編成に使用するガイドバー（筬）Ｌ１、Ｌ２、Ｌ３、Ｌ４、Ｌ５、Ｌ６を有し、このうち二列はジャカードガイドバー（ジャカード筬）Ｌ３、Ｌ４である。ガイドバーＬ１、Ｌ２、Ｌ３が表面編地２ａの編成に使用され、ガイドバーＬ４、Ｌ５、Ｌ６が裏面編地２ｂの編成に使用される。編糸Ｙ１、Ｙ２、Ｙ３、Ｙ４、Ｙ５、Ｙ６は、それぞれ上記各ガイドバーＬ１〜Ｌ６のガイド部Ｇ１、Ｇ２、Ｇ３、Ｇ４、Ｇ５、Ｇ６に通糸され、各編糸Ｙ１〜Ｙ６は、それぞれビームＢ１、Ｂ２、Ｂ３、Ｂ４、Ｂ５、Ｂ６から引き出される。このように、ダブルラッセル編機ＤＲを用いて表面編地２ａと裏面編地２ｂが袋状に編成されることによって、本実施形態に係る袋状経編地を含む経編地１０が製造される。
【００３４】
図２に示すように、本実施形態に係る袋状経編地の製造方法においては、編成幅方向に２種類の異なる製品用の経編地１０ａ、１０ｂを並べて、同時に経編地１０を編成縦方向に編成していく。ここで、表面編地２ａａ、２ｂａの地組織は、開口部を有するネット状編地である。これに対して、表面編地２ａａ、２ｂａをそれぞれ一部破断して示す裏面編地２ａｂ、２ｂｂの地組織は、開口部を有しないフラット状編地である。経編地１０の表裏編地部の裏面編地２ａｂ、２ｂｂは、主に２針間アンダーラップする筬で編成し、平坦平滑な地組織（フラット状編地）とする。一方、表面編地２ａａ、２ｂａにおいては、１針間及び２針間で編成されたネット状の地組織（ネット状編地）と、１針又は２針間でアンダーラップされたフラット状編地（模様３ａ、３ｂ）とを組み合わせて編地表面に意匠性ある表現をする。
【００３５】
ネット状編地の表面編地２ａａ、２ｂａの地組織には、フラット状編地からなる模様３ａ、３ｂが、ほぼ均等に配置されている。フラット状編地からなる模様３ａ、３ｂが、製品を区画するパターンの外線（橋渡し線及び切除線）４ａ、４ｂに囲まれた表面に占める面積の割合は、３０％〜７０％である。一方、ネット状編地からなる表面編地２ａａ、２ｂａの地組織が、製品を区画するパターンの外線４ａ、４ｂに囲まれた表面に占める面積の割合は、３０％〜７０％である。経編地１０は、表面編地２ａａ、２ｂａ及び裏面編地２ａｂ、２ｂｂとともに、耳組織５、パターンの替わり編地６を形成しながら、矢印方向（編成縦方向）に編成される。経編地１０が所定の長さだけ編成されたら、経編地１０はダブルラッセル編機ＤＲから外されて、染色等の加工工程に供される。その後、パターンの外線４ａ、４ｂの外側の編地は、パターンの外線４ａ、４ｂに沿って切除される。
【００３６】
外線４ａ、４ｂの外側の編地を切除した本実施形態に係る袋状経編地を、図３乃至図５に示す。図３に示すように、本実施形態に係る袋状経編地の一例は、Ｔシャツ１ａである。パンツやインナー類等の他の衣料製品も、同様にして製造することができる。Ｔシャツ１ａにおいては、表面編地２ａａの地組織がネット状編地からなり、表面編地２ａａの模様部分３ａがフラット状編地からなる。そして、裏面編地２ａｂは全てフラット状編地からなる。フラット状編地（模様３ａ）が表面編地２ａａに占める割合は４０％で、ネット状編地（地組織）が表面編地２ａａに占める割合は６０％である。
【００３７】
ここで、フラット状編地（模様３ａ）が表面編地２ａａに占める面積の割合は３０％〜７０％の範囲内であることが好ましく、ネット状編地（地組織）が表面編地２ａａに占める面積の割合は３０％〜７０％の範囲内であることが好ましい。
フラット状編地が表面編地２ａａに占める面積の割合が３０％未満であると、後述するようなフラット状編地の部分で編糸を長く多量に消費することによる編糸長さの吸収効果が十分に得られない虞がある。一方、フラット状編地が表面編地２ａａに占める面積の割合が７０％を超えると、ネット状編地の割合が少なくなって、優れた意匠性が得られない虞がある。
ネット状編地が表面編地２ａａに占める面積の割合が３０％未満であると、ネット状編地の割合が少なくなって、優れた意匠性が得られない虞がある。一方、ネット状編地が表面編地２ａａに占める面積の割合が７０％を超えると、後述するようなフラット状編地の部分で編糸を長く多量に消費することによる編糸長さの吸収（調整）効果が十分に得られない虞がある。
【００３８】
Ｔシャツ１ａにおいては、透けて見えるネット状編地部とその中に模様３ａを形成するフラット状編地部によって、優れた意匠性が得られる。また、フラット状編地部で編糸を長く多量に消費するため、編糸を少ししか消費しないネット状編地部で余る編糸長さを吸収（調整）することができ、編地のしわ、歪みを防止することができる。
【００３９】
さらに、本実施形態に係るＴシャツ１ａにおいては、ネット状編地部の開口部の編地は２ウエルの編糸を束ねて編成される。本実施形態に係る袋状経編地のネット組織について、図６乃至図８を参照して説明する。
【００４０】
図６に示すように、１ウエルの編糸のみ束ねて構成されたネット（以下、「１ウエルネット」という。）の場合は、開口部１２ａの周囲に編糸Ｙａが１本だけに束ねて編成されている。このため、ネット状編地を１ウエルネットのネット組織のみで編成すると、開口部１２ａが拡がりやすく、また編糸Ｙａを束ねる編糸も消費されないため編糸余りが出やすくなり、編地のしわ、歪み等の原因になる。
【００４１】
これに対して、図７に示すように、２ウエルの編糸を束ねて構成されたネットの場合は、開口部１２ｂの周囲に編糸Ｙｂが２本束ねて編成されている。したがって、開口部１２ｂが引き締められて拡がりにくくなり、また編糸Ｙｂを２本束ねる編糸が長く消費されて編糸余りが少なくなり、編地のしわ、歪み等を防止することができる。図８に示すように、３ウエルの編糸を束ねて構成されたネットの場合は、開口部１２ｃの周囲に編糸Ｙｃが３本束ねて編成されている。したがって、開口部１２ｃの引き締め効果も、編糸Ｙｃを３本束ねることによる編糸余りの消費効果も、より優れたものとなり、編地のしわ、歪みをさらに確実に防止することができる。
【００４２】
このようにして、優れた意匠性と、しわ、歪み、弛み、膨らみ、垂れ下がりのない見栄えの良さを両立させた袋状経編地として、Ｔシャツ１ａの衣料製品を製造することができる。
【００４３】
なお、本実施形態においては、裏面編地２ａｂは全てフラット状編地からなるものとしたが、これに限られるものではなく、裏面編地２ａｂの一部が開口部を有するネット状編地となるように編成することも可能である。この場合、ネット状編地部が、裏面編地に占める面積の割合は、２０％未満であることが好ましい。また、本実施形態においては、ネット状編地の開口部の編地は全て２ウエルの編糸を束ねて編成されるものとしたが、ネット状編地面積の２０％以下の範囲内で、１ウエルネットのネット組織を混在させてもよい。特に、模様３ａの周囲のみを１ウエルネットのネット組織とすることにより、模様３ａがより浮き上がって見えるため、より優れた意匠性を付与することができる。
【００４４】
図４及び図５に示すように、本実施形態に係る袋状経編地の他の例は、袋状カバー１ｂである。シート、シーツ、マットレス等の他のカバー製品も、同様にして製造することができる。袋状カバー１ｂにおいては、図４に示すように、表面編地２ｂａの地組織がネット状編地からなり、表面編地２ｂａの模様部分３ｂがフラット状編地からなる。そして、図５に示すように、裏面編地２ｂｂは全てフラット状編地からなる。フラット状編地（模様部分３ｂ）が表面編地２ｂａに占める割合は５０％で、ネット状編地（地組織）が表面編地２ｂａに占める割合は５０％である。袋状カバー１ｂにおいては、透けて見えるネット状編地とその中に模様３ｂを形成するフラット状編地によって、優れた意匠性が得られる。また、フラット状編地の部分で編糸を長く多量に消費するため、編糸を少ししか消費しないネット状編地の部分で余る編糸長さを吸収することができ、編地のしわ、歪みを防止することができる。
【００４５】
さらに、本実施形態に係る袋状カバー１ｂにおいては、ネット状編地の開口部の編地は３ウエルの編糸を束ねて編成される。図８に示すように、３ウエルの編糸を束ねて構成されたネットの場合は、開口部１２ｃの周囲に編糸Ｙｃが３本束ねて編成されている。したがって、開口部１２ｃの引き締め効果も、編糸Ｙｃを３本束ねることによる編糸の消費効果も、より優れたものとなり、編地のしわ、歪みをさらに確実に防止することができる。
【００４６】
このようにして、優れた意匠性があり、しわ、歪み、弛み、膨らみのない見栄えの良さを両立させた袋状経編地として、袋状カバー１ｂ等のカバー製品を製造することができる。
【００４７】
なお、本実施形態においては、裏面編地２ｂｂは全てフラット状編地からなるものとしたが、これに限られるものではなく、裏面編地２ｂｂの一部が開口部を有するネット状編地となるように編成することも可能である。この場合、ネット状編地部が、裏面編地に占める面積の割合は、２０％未満であることが好ましい。また、本実施形態においては、ネット状編地の開口部の編地は全て３ウエルの編糸を束ねて編成されるものとしたが、ネット状編地の面積の２０％以下の範囲内で、１ウエルネットのネット組織を混在させてもよい。特に、模様３ｂの周囲のみを１ウエルネットのネット組織とすることにより、模様３ｂがより浮き上がって見えるため、より優れた意匠性を付与することができる。
【００４８】
次に、本実施形態に係る袋状経編地の組織部の基本的な編成組織について、図９乃至図１１を参照して説明する。図９は、本実施形態に係る袋状経編地の組織部の基本的な編成組織を示す編成組織図である。図１０は、本実施形態に係る袋状経編地の表裏身頃の基本的な編成組織を示す編成組織図である。図１１は、本実施形態に係る袋状経編地の表裏身頃の基本的な連結組織を示す編成組織図である。
【００４９】
図９に示す組織１〜組織４は、組織部の基本的な編成組織図を表している。組織１及び組織２は、フラット状編地の編成を表している。組織３及び組織４は、開口部を有するネット状編地の編成を表している。開口部を有するネット状編地の場合、経方向に所望の間隔で編成後に、ある間隔で編み糸が１針及び２針間にアンダーラップを行なうことにより、開口部が編成される。常に１針、２針間にアンダーラップをしないと、糸長は短く少なくなるため、編糸余りにより、しわ、歪み等の不具合を生じる虞がある。
【００５０】
図９に示す組織１においては、地組織を構成する編糸は１針間にアンダーラップされる編地であり、組織２は地組織を構成する編糸が２針間にアンダーラップされる編地である。組織２の地組織は、編糸が２針間にアンダーラップすることから、糸長は長く多くなるが、編地は厚く、しっかりとした編地となる。筒状、袋状、カバーなどの大きい製品や強度等を必要とする製品の場合は、２針間にアンダーラップされる編地を採用することが多い。組織１及び組織２のような地組織で編成されている場合は、編地のループが均一であり、またシンカーループの動きが一定であるため、給糸される糸長や糸張力も一定となり、地組織面は均一なループが並んだフラットな地組織となる。
【００５１】
図９に示す組織３及び組織４は、開口部を編成する基本的な組織である。開口部の大きさは、経方向に短い間隔で編成する、ウエル方向のアンダーラップ数を多くする、またはアンダーラップ数を大きくとることで小さくなる。糸長は開口部の大きさや、編糸の経方向のアンダーラップの長さにより大きく異なってくる。
組織４のように２針間にアンダーラップをすると、糸長は長く多くなるが、開口部の編地はしっかりとした編地となる。また、２針間以上のアンダーラップは、経緯のループで引き寄せる働きを生じ、開口部と開口部の間が拡がる傾向があるが、大きい筒状や袋状のカバーなどの場合、編地自体のサイズが大きいため、製品は重たくなる傾向がある。
組織３のような１針間でアンダーラップを適宜に採用すればよいが多く採用するとサイズの大きい筒状や袋状のカバーなどの編地は、形状が編地の重量で変形し易い、伸び易い、また、強度が低く、見栄えや安心感に懸念が残る製品になる傾向がある。
【００５２】
本実施形態においては、主に筒状や袋状のカバーなどのサイズの大きい形状の製品を作製する編地において、表裏どちらか一方の面の地組織がフラット状編地で他方の面が開口部を有するネット状編地や１〜２針間のアンダーラップで意匠を付与した製品の編成時において、しわ、歪み等が製品時に少なく見栄えの良い製品になるような編成方法を見出した。
【００５３】
例えば、表裏どちらか一方の面が組織２のフラット編地で、２針間にアンダーラップされた経長い（１ｍ以上）袋状で、かつ、緯長い（１ｍ以上）袋状に編成し、他方の面は意匠性を付与し、編成組織２と組織３、または組織２と組織４で組み合わせると、給糸される糸長が異なる。フラット状編地の組織２に対し、意匠付与面の編地を構成する組織２、組織３、組織４の編地全体に締める比率を考慮する組み合わせをする。
【００５４】
図１０に示すように、本実施形態における袋状経編地の表裏身頃の基本的な編成組織においては、図１に示すダブルラッセル編機ＤＲのガイドバー（筬）Ｌ１〜Ｌ６のうち、ガイドバーＬ２、Ｌ３、Ｌ４、Ｌ５のみを編成に使用する。このうち二列はジャカードガイドバー（ジャカード筬）Ｌ３、Ｌ４である。図１０に示すように、ガイドバーＬ２、Ｌ５においては鎖編の編成を行い、ジャカードガイドバーＬ３、Ｌ４においては１針間でアンダーラップする編成を行う。
【００５５】
図１１に示すように、本実施形態における袋状経編地の表裏身頃の基本的な連結組織においては、図１に示すダブルラッセル編機ＤＲのガイドバー（筬）Ｌ１〜Ｌ６のうち、ガイドバーＬ２、Ｌ３、Ｌ４、Ｌ５のみを編成に使用する。このうち二列はジャカードガイドバー（ジャカード筬）Ｌ３、Ｌ４である。図１１に示すように、ガイドバーＬ２、Ｌ５においては鎖編の編成を行い、ジャカードガイドバーＬ３、Ｌ４においては１針間でアンダーラップする編成を行う。
【実施例】
【００５６】
以下、本発明を実施例によりさらに具体的に説明するが、本発明は以下の実施例により、用途、糸、組織等を特に何ら限定されるものではない。
【００５７】
以下に説明するように、本発明の実施例１〜８に係る袋状経編地を製造し、評価を行った。また、比較のため、比較例１〜３の袋状経編地を製造し、評価を行った。
【実施例１】
【００５８】
２列のジャカードガイドバーを備えるダブルラッセル機（カールマイヤー社製  ＲＤＰＪ６／２Ｎ−２４Ｅ）を用いて、ガイドバーＬ２、Ｌ５に４４ｄｔｅｘ／３４ｆの加工糸を使用し、ジャカードガイドバーＬ３、Ｌ４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、ガイドバーＬ２、Ｌ５の鎖編と、ジャカードガイドバーＬ３、Ｌ４による鎖編、デンビ編とコード編の組み合わせによる地組織にして、ジャカード組織の変化で意匠を編成した。このとき、編地の仕上り密度を７０コース／６０ウエルとした。
【００５９】
裏面編地の地組織は、Ｌ５は鎖編でジャカードの筬のアンダーラップは２針間にアンダーラップの地組織１００％とした。表面編地の意匠部の穴部の編地は、２ウエルの編糸を束ねた編地のネット組織が表面編地に占める比率は５０％で、フラット状編地の地組織は２針間にアンダーラップする地組織で意匠を作製し、フラット状編地が表面編地に占める比率は表面編地の５０％であった。
加工上がりの表面編地（意匠面）のしわ、歪み、編地の浮き、見栄え品位の評価を、表１に示す。
【実施例２】
【００６０】
２列のジャカードガイドバーを備えるダブルラッセル機（カールマイヤー社製  ＲＤＰＪ６／２Ｎ−２４Ｅ）を用いて、ガイドバーＬ２、Ｌ５に１６７ｄｔｅｘ／４８ｆの加工糸を使用し、ジャカードガイドバーＬ３、Ｌ４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、ガイドバーＬ２、Ｌ５の鎖編と、ジャカードガイドバーＬ３、Ｌ４による鎖編、デンビ編とコード編の組み合わせによる地組織にして、ジャカード組織の変化で意匠を編成した。このとき、編地の仕上り密度を６０コース／４０ウエルとした。
【００６１】
裏面編地の地組織は、Ｌ５は鎖編でジャカードの筬のアンダーラップは２針間にアンダーラップの地組織１００％とした。表面編地の意匠部の穴部の編地は、３ウエルの編糸を束ねた編地のネット組織が表面編地に占める比率は４０％であった。フラット状編地の地組織は、２針間にアンダーラップする地組織で意匠を作製し、フラット状編地が表面編地に占める比率は６０％であった。
加工上がりの表面編地（意匠面）のしわ、歪み、編地の浮き、見栄え品位の評価を、表１に示す。
【実施例３】
【００６２】
２列のジャカードガイドバーを備えるダブルラッセル機（カールマイヤー社製  ＲＤＰＪ６／２Ｎ−１８Ｅ）を用いて、ガイドバーＬ２、Ｌ５に３３０ｄｔｅｘ／１４４ｆの加工糸を使用し、ジャカードガイドバーＬ３、Ｌ４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、ガイドバーＬ２、Ｌ５の鎖編と、ジャカードガイドバーＬ３、Ｌ４による鎖編、デンビ編とコード編の組み合わせによる地組織にして、意匠を編成した。このとき、編地の仕上り密度を４０コース／３０ウエルとした。
裏面編地の地組織は、Ｌ５は鎖編でジャカードの筬のアンダーラップは２針間にアンダーラップの地組織１００％とした。表面編地の意匠部の穴部の編地は、６ウエルの編糸を束ねた編地のネット組織が表面編地に占める比率は４０％であった。フラット状編地の地組織は、２針間にアンダーラップする地組織で意匠を作製し、フラット状編地が表面編地に占める比率は６０％であった。
加工上がりの表面編地（意匠面）のしわ、歪み、編地の浮き、見栄え品位の評価を、表１に示す。
【実施例４】
【００６３】
２列のジャカードガイドバーを備えるダブルラッセル機（カールマイヤー社製  ＲＤＰＪ６／２Ｎ−２４Ｅ）を用いて、ガイドバーＬ２、Ｌ５に５６ｄｔｅｘ／２４ｆの加工糸を使用し、ジャカードガイドバーＬ３、Ｌ４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、ガイドバーＬ２、Ｌ５の鎖編と、ジャカードガイドバーＬ３、Ｌ４による鎖編、デンビ編とコード編の組み合わせによる地組織にして、意匠を編成した。このとき、編地の仕上り密度を２６コース／２４ウエルとした。
【００６４】
裏面編地の地組織は、Ｌ５は鎖編でジャカードの筬のアンダーラップは２針間にアンダーラップの地組織１００％とした。表面編地の意匠部の穴部の編地は、８ウエルの編糸を束ねた編地のネット組織が表面編地に占める比率は７０％であった。フラット状編地の地組織は１針間にアンダーラップする地組織で意匠を作製し、フラット状編地が表面編地に占める比率は３０％であった。
加工上がりの表面編地（意匠面）のしわ、歪み、編地の浮き、見栄え品位の評価を、表１に示す。
【実施例５】
【００６５】
２列のジャカードガイドバーを備えるダブルラッセル機（カールマイヤー社製  ＲＤＰＪ６／２Ｎ−２４Ｅ）を用いて、ガイドバーＬ２、Ｌ５に８４ｄｔｅｘ／３６ｆの加工糸を使用し、ジャカードガイドバーＬ３、Ｌ４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、ガイドバーＬ２、Ｌ５の鎖編と、ジャカードガイドバーＬ３、Ｌ４による鎖編、デンビ編とコード編の組み合わせによる地組織にして、意匠を編成した。このとき、編地の仕上り密度を５０コース／５０ウエルとした。
【００６６】
裏面編地の地組織は、Ｌ５は鎖編組織でジャカードの筬のアンダーラップは２針間にアンダーラップの地組織１００％とした。表面編地の意匠部の穴部の編地は、２ウエルの編糸を束ねた編地のネット組織が表面編地に占める比率は３０％であった。フラット状編地の地組織は２針間にアンダーラップする地組織で意匠を作製し、フラット状編地が表面編地に占める比率は７０％であった。
加工上がりの表面編地（意匠面）のしわ、歪み、編地の浮き、見栄え品位の評価を、表１に示す。
【実施例６】
【００６７】
２列のジャカードガイドバーを備えるダブルラッセル機（カールマイヤー社製  ＲＤＰＪ６／２Ｎ−２４Ｅ）を用いて、ガイドバーＬ２、Ｌ５に５６ｄｔｅｘ／２４ｆの加工糸を使用し、ジャカードガイドバーＬ３、Ｌ４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、ガイドバーＬ２、Ｌ５の鎖編と、ジャカードガイドバーＬ３、Ｌ４による鎖編、デンビ編との組み合わせによる地組織にして、ジャカード組織の変化で伸縮の強い編地と伸縮の弱い編地をコース、ウエル方向に意匠とともに付与して編成した。このとき、編地の仕上り密度を４０コース／４０ウエルとした。
【００６８】
裏面編地の地組織は、Ｌ５とＬ６はデンビ編組織１針間のアンダーラップでジャカードの筬のアンダーラップは２針間にアンダーラップの地組織１００％とした。表面編地の意匠部の穴部の編地は、４ウエルの編糸を束ねた編地のネット組織が表面編地に占める比率は５０％であった。フラット状編地の地組織は、２針間にアンダーラップする地組織で意匠を作製し、フラット状編地が表面編地に占める比率は５０％であった。
加工上がりの表面編地（意匠面）のしわ、歪み、編地の浮き、見栄え品位の評価を、表１に示す。
【実施例７】
【００６９】
２列のジャカードガイドバーを備えるダブルラッセル機（カールマイヤー社製  ＲＤＰＪ６／２Ｎ−２４Ｅ）を用いて、ガイドバーＬ２、Ｌ５に４４ｄｔｅｘ／３４ｆの加工糸を使用し、ジャカードガイドバーＬ３、Ｌ４には、８４ｄｔｅｘ／３６ｆ加工糸を使用し、ガイドバーＬ２、Ｌ５の鎖編と、加工糸ガイドバーＬ３、Ｌ４による鎖編、デンビ編とコード編の組み合わせによる地組織にして、ジャガート組織の変化で意匠を編成した。このとき編地の仕上り密度を５０コース／４５ウエルとした。
【００７０】
裏面編地の地組織は、Ｌ５は鎖編でジャカードの筬のアンダーラップは２針間にアンダーラップの地組織１００％とした。表面編地の意匠部の穴部の編地は、２ウエルの編糸を束ねた編地のネット組織が表面編地に占める比率は５０％であった。フラット状編地の地組織は、２針間にアンダーラップする地組織で意匠を作製し、フラット状編地が表面編地に占める比率は５０％であった。
加工上がりの表面編地（意匠面）のしわ、歪み、編地の浮き、見栄え品位の評価を、表１に示す。
【００７１】
〔比較例１〕
２列のジャカードガイドバーを備えるダブルラッセル機（カールマイヤー社製  ＲＤＰＪ６／２Ｎ−２４Ｅ）を用いて、ガイドバーＬ２、Ｌ５に４４ｄｔｅｘ／３４ｆの加工糸を使用し、ジャカードガイドバーＬ３、Ｌ４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、ガイドバーＬ２、Ｌ５の鎖編と、ジャカードガイドバーＬ３、Ｌ４による鎖編、デンビ編とコード編の組み合わせによる地組織にして、ジャカード組織の変化で意匠を編成した。このとき、編地の仕上り密度を６０コース／５０ウエルとした。
【００７２】
裏面編地の地組織は、Ｌ５は鎖編でジャカードの筬のアンダーラップは２針間にアンダーラップの地組織８０％でネット編地組織が２０％とした。表面編地の意匠部の穴部の編地は、２ウエルの編糸を束ねた編地のネット組織が表面編地に占める比率は５０％であった。フラット状編地の地組織は、２針間にアンダーラップする地組織で意匠を作製し、フラット状編地が表面編地に占める比率は５０％であった。
加工上がりの表面編地（意匠面）のしわ、歪み、編地の浮き、見栄え品位の評価を、表１に示す。
【００７３】
〔比較例２〕 
２列のジャカードガイドバーを備えるダブルラッセル機（カールマイヤー社製  ＲＤＰＪ６／２Ｎ−２４Ｅ）を用いて、ガイドバーＬ２、Ｌ５に２２ｄｔｅｘ／１２ｆの加工糸を使用し、ジャカードガイドバーＬ３、Ｌ４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、ガイドバーＬ２、Ｌ５の鎖編と、ジャカードガイドバーＬ３、Ｌ４によるデンビ編との組み合わせによる地組織にして、意匠を編成した。このとき、編地の仕上り密度を７０コース／６０ウエルとした。
【００７４】
裏面編地の地組織は、Ｌ５は鎖編でジャカードの筬のアンダーラップは２針間にアンダーラップの地組織１００％とした。表面編地の意匠部の穴部の編地は、１ウエルの編糸を束ねた編地のネット組織が表面編地に占める比率は５０％であった。フラット状編地の地組織は、２針間にアンダーラップする地組織で意匠を作製し、フラット状編地が表面編地に占める比率は５０％であった。
加工上がりの表面編地（意匠面）のしわ、歪み、編地の浮き、見栄え品位の評価を、表１に示す。
【００７５】
〔比較例３〕 
２列のジャカードガイドバーを備えるダブルラッセル機（カールマイヤー社製  ＲＤＰＪ６／２Ｎ−１８Ｅ）を用いて、ガイドバーＬ２、Ｌ５に５５０ｄｔｅｘ／２４０ｆの加工糸を使用し、ジャカードガイドバーＬ３、Ｌ４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、ガイドバーＬ２、Ｌ５の鎖編と、ジャカードガイドバーＬ３、Ｌ４によるデンビ編との組み合わせによる地組織にして、意匠を編成した。このとき、編地の仕上り密度を１６コース／１６ウエルとした。
【００７６】
裏面編地の地組織は、Ｌ５は鎖編でジャカードの筬のアンダーラップは２針間にアンダーラップの地組織１００％とした。表面編地の意匠部の穴部の編地は、１ウエルの編糸を束ねた編地のネット組織が表面編地に占める比率は７０％であった。フラット状編地の地組織は、１針間にアンダーラップする地組織で意匠を作製し、フラット状編地が表面編地に占める比率は３０％であった。
加工上がりの表面編地（意匠面）のしわ、歪み、編地の浮き、見栄え品位の評価を、表１に示す。
【００７７】
〔比較例４〕
２列のジャカードガイドバーを備えるダブルラッセル機（カールマイヤー社製  ＲＤＰＪ６／２Ｎ−２４Ｅ）を用いて、ガイドバーＬ２、Ｌ５に８４ｄｔｅｘ／３６ｆの加工糸を使用し、ジャカードガイドバーＬ３、Ｌ４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、ガイドバーＬ２、Ｌ５の鎖編と、ジャカードガイドバーＬ３、Ｌ４によるデンビ編との組み合わせによる地組織にして、意匠を編成した。このとき、編地の仕上り密度を５０コース／５０ウエルとした。
【００７８】
裏面編地の地組織は、Ｌ５は鎖編組織でジャカードの筬のアンダーラップは１針間にアンダーラップの地組織１００％とした。表面編地の意匠部の穴部の編地は、２ウエルの編糸を束ねた編地のネット組織が表面編地に占める比率は５０％であった。フラット状編地の地組織は、２針間にアンダーラップする地組織で意匠を作製し、フラット状編地が表面編地に占める比率は５０％であった。
加工上がりの表面編地（意匠面）のしわ、歪み、編地の浮き、見栄え品位の評価を、表１に示す。
【００７９】
【表１】
2014037640.tif 000003
【００８０】
表１に示すように、実施例１〜７に係る袋状経編地は、いずれもフラット状編地が表面編地に占める面積の割合は３０％〜７０％であり、ネット状編地が表面編地に占める面積の割合は３０％〜７０％であり、ネット状編地の開口部の編地の８０％〜１００％（１００％）は２ウエル〜１０ウエルの編糸を束ねて編成される、という条件を満たしている。この結果、しわ、歪み、浮き、見栄え品位のいずれの項目においても、×の評価は無く、△〜○の総合評価となっている。
【００８１】
これに対して、表１に示すように、比較例１〜４の袋状経編地は、フラット状編地が表面編地に占める面積の割合は３０％〜７０％であり、ネット状編地が表面編地に占める面積の割合は３０％〜７０％であり、ネット状編地の開口部の編地の８０％〜１００％は２ウエル〜１０ウエルの編糸を束ねて編成される、という条件のいずれかを満たしていない。この結果、しわ、歪み、浮き、見栄え品位のいずれかの項目において、△〜×の評価となり、総合評価で×となっている。
【００８２】
以上説明したように、本実施形態及び実施例に係る袋状経編地は、優れた意匠性と、しわ、歪み、浮き、弛み、膨らみのない見栄えの良さと、を両立させている。このことにより、生活用カバー類や衣料製品の用途に好適に使用することができる。
【００８３】
本発明は、本発明の広義の精神と範囲を逸脱することなく、様々な実施形態及び変形が可能とされるものである。また、上述した実施形態及び実施例は、本発明を説明するためのものであり、本発明の範囲を限定するものではない。
【産業上の利用可能性】
【００８４】
本発明に係る袋状経編地及びその製造方法は、生活用カバー類や衣料製品に使用される袋状経編地を提供するのに適している。
【符号の説明】
【００８５】
１ａ  Ｔシャツ
１ｂ  袋状カバー
２ａ、２ａａ、２ｂａ  表面編地
２ｂ、２ａｂ、２ｂｂ  裏面編地
３ａ、３ｂ  模様部分
１０、１０ａ、１０ｂ  経編地
１２ａ、１２ｂ、１２ｃ  開口部
Ｂ１、Ｂ２、Ｂ３、Ｂ４、Ｂ５、Ｂ６  ビーム
ＤＲ  ダブルラッセル編機
Ｇ１、Ｇ２、Ｇ３、Ｇ４、Ｇ５、Ｇ６  ガイド部
Ｌ１、Ｌ２、Ｌ３、Ｌ４、Ｌ５、Ｌ６  ガイドバー（筬）
Ｎ１、Ｎ２  ニードル
Ｔ１、Ｔ２  針釜（トリックプレート）
Ｙ１、Ｙ２、Ｙ３、Ｙ４、Ｙ５、Ｙ６、Ｙａ、Ｙｂ、Ｙｃ  編糸
【図１】
2014037640.tif 000004
【図２】
2014037640.tif 000005
【図３】
2014037640.tif 000006
【図４】
2014037640.tif 000007
【図５】
2014037640.tif 000008
【図６】
2014037640.tif 000009
【図７】
2014037640.tif 000010
【図８】
2014037640.tif 000011
【図９】
2014037640.tif 000012
【図１０】
2014037640.tif 000013
【図１１】
2014037640.tif 000014